(57)【要約】      （修正有）【課題】スライドファスナの締め忘れ防止を、取り扱い性やファッション性を損なわず着用者本人に通知し、不要な警報と電池の消耗を避ける。【解決手段】スライドファスナ１のスライダ２にスライド位置情報を提供するための磁石もしくはプラグを設け、ベルトのバックル５内部に、スライダ２の開閉位置を検知するスライダ位置検出装置６と、警報手段をと、電池８と、ベルトの挿入圧力で電源を通電する装着スイッチ７と、用便のときに使用する電源一時遮断スイッチ５２を設け、ズボンやスカートの着用のみスライドファスナの開口を検知し警報を出す手段とした。【選択図】図１
2011184817.tif 000002
【特許請求の範囲】
【請求項１】
スライドファスナと、該スライドファスナのスライダ位置検知手段と、警報手段と、電池と、ベルトと、該ベルトの止め具および、前記ベルトの装着に連動して電源を開閉する手段を備えてなることを特徴とするスライドファスナ締め忘れ警報装置。
【請求項２】
前記スライダ位置検知手段と、前記警報手段と、前記電池と、前記ベルトと、前記ベルトの装着に連動して電源を開閉する手段が、前記ベルトの止め具に内蔵したことを特徴とする請求項１記載のスライドファスナ締め忘れ警報装置。
【請求項３】
請求項１記載のスライドファスナに付属するスライダに磁石を設け、該磁石からの磁束を検知しスライダ位置検知を行うことを特徴とする請求項１記載のスライドファスナ締め忘れ警報装置。
【請求項４】
請求項１記載のスライドファスナに付属するスライダにプラグを設け、前記ベルトの止め具に該プラグの挿入検知を設け、スライダ位置検知を行うことを特徴とした請求項１のスライドファスナ締め忘れ警報装置。
【請求項５】
前記警報手段を一時停止する手段を設けたことを特徴とする請求項１から４いずれか記載のスライドファスナ締め忘れ警報装置。
【発明の詳細な説明】
【技術分野】
【０００１】
本発明は、ズボンやスカートを着用する際にスライドファスナの締め忘れを警報するファスナ締め忘れ警報装置に関する。
【背景技術】
【０００２】
ズボンやスカートの着用時に、ズボンやスカートのスライドファスナが開口したまま外出してしまうことがあり、締め忘れ防止手段が求められていた。スライドファスナの締め忘れ防止手段として、特開平９−２８４２２号公報のように、ファスナのスライダとフックの双方に細工を施し、ズボンやスカートのファスナのスライド部を先に上げなければ、フックを掛けられない構造としたものや、特開２００５−４０４８５のように、スライドファスナ動作時の振動を圧電素子で電力に変換し、その電力を充電してスライドファスナの開閉状態を通信で外部に通知する考案がある。
【０００３】
特表２００７−５３５３３６号公報では、フェライト磁石とリードスイッチと電池とLEDが第１の筺体に、軟鉄板が第２の筺体に組み込まれ、２つの筐体にそれぞれ細紐が備えられていて、前記２つの筺体の距離が大きくなるとリードスイッチが遮断状態から通電状態になり、LEDが点灯しファスナ開口状態を知らせる考案となっている。
【先行技術文献】
【特許文献】
【０００４】
【特許文献１】特開平９−２８４２２号公報
【特許文献２】特開２００５−４０４８５号公報
【特許文献３】特表２００７−５３５３３６号公報
【発明の概要】
【発明が解決しようとする課題】
【０００５】
ズボンやスカートのファスナを先に上げていなければ、フックを掛けられない構造としたものは、ファスナ使用動作毎にフック解除や固定を行い、手順が煩雑になる問題点を有する。この問題点を解決した特開平９−２８４２２号公報の例では、煩雑さが解消される一方で、ズボンやスカート着用時の１回のみ締め忘れ防止が有効になるが、用便などによる開口後の締め忘れには効果がない。
【０００６】
スライドファスナ動作時の振動を圧電素子で電力に変換し開口状態を告知する特開２００５−４０４８５公報の方式は、最初からスライドファスナを締め忘れている場合や、スライダが徐々に開口側に移動した場合は、発電量不足となり開口状態を知らせることができない。
【０００７】
特表２００７−５３５３３６号公報の装置をズボンに取り付けた場合は、スライドファスナに取り付けたアラート装置の筺体がはっきり見えてしまいファッション性に問題がある。
解決しようとする問題点は、ファッション性を損なわずに、ズボン着用時のスライドファスナ開口状態を精度よく検知し、着用者本人に開口状態を警告し、ズボンを脱いでいる状態や大便をしている状態では、無駄な電池の消耗や警報をなくす点である。
【課題を解決するための手段】
【０００８】
このような目的を果たすために、本発明は、スライドファスナと、該スライドファスナのスライダ位置検知手段と、警報手段と、電池と、ベルトと、該ベルトの止め具を備え、前記ベルトの装着に連動して電源供給を開閉する手段、および、警報手段を、一時停止する手段により、警報手段を停止でき、
前記止め具に、前記スライダ位置検知手段と、前記警報手段と、前記電池および前記ベルトの装着に連動して電源供給を開閉する手段を内蔵したことを主要な特徴とする。
【０００９】
「スライダ位置検知手段」は、スライダの移動位置により開閉状態を検出する手段であり、スライダに磁石を備えてスライダから発生する磁界を、ベルトの止め具側に磁気抵抗素子や高感度のリードスイッチ等により磁気検出する方法や、スライダにプラグを備えてベルトの止め具側に前記プラグ検出するスイッチ設ける方法や、スライダに鉄などの磁性体を用いベルトの止め具側に前記磁性体を検出する回路を設ける方法や、スライダにＩＣタグを内蔵しベルトの止め具側に前記ＩＣタグを検出する回路を設ける方法や、スライダにコイルとコンデンサによる特定周波数反応回路を内蔵しベルトの止め具側に特定周波数検出回路を設ける方法などがある。
【００１０】
「警報手段」は、ブザーや、メロディーＩＣとスピーカの組み合わせや、携帯電話用振動子や、近距離無線通信により携帯電話へ通報する方法がある。
「電池」は、小型のボタン電池や、太陽電池や、太陽電池と充電電池の組み合わせでも良い。
「止め具」は、バックルやフックを示す。
「プラグ」は、ピン形状やキー形状やキャラクタを模った形状で、止め具に挿入できるものを指す。
「警報手段を一時停止する手段」は、電源を動作スイッチやＩＣの回路を停止するスイッチ、あるいは、前記スイッチにタイマーを連動させて停止する形態を含む。
【発明の効果】
【００１１】
本発明のスライドファスナ締め忘れ警報装置は、第１の利点として、ズボンやスカート脱衣時に、スライダ位置検知警報装置への電源供給を遮断するため、不要な告知音を停止し電池の消耗を抑制できる。第２の利点として、締め具のバックル内部にスライダ位置検知警報装置や電源を組み込むことにより、外観的に突出する筺体を設けることがなく、ファッション性を損なわない利点を持つ。第３の利点として、ズボンやスカート着用に際して面倒な手順を踏まないで、ズボンやスカート着用と脱衣ができる。第４の利点として、ズボンやスカート着用時に、スライダの位置が中途半端な開口状態や徐々に開口するときでも正確に警報を発することができる。
【発明を実施するための最良の形態】
【００１２】
以下、本発明を実施するための最良の形態について、図面を参照しながら詳細に説明する。
【実施例１】
【００１３】
実施例１は、スライドファスナの締め忘れ防止を検知するために、磁気検出を利用したスライダ位置検出装置を備えたもので説明する。
図１は開口状態となっているズボンのスライドファスナ１とベルト９とベルト９の止め具のバックル５を示している。スライドファスナ１は、スライダ２と引き手３とエレメント４から構成され、スライダ２もしくは引き手３のどちらか一方は、磁石を内蔵する構造となっている。バックル５は、電池８と装着スイッチ７と一時停止スイッチ５２とスライダ位置検出装置６および警報手段として圧電スピーカ２７が内蔵されている。装着スイッチ７は、ベルト９がバックル５に挿入されたときに、ベルト９の押圧により接点が閉じ、スライダ位置検出装置６に、電池８からの電力を供給する。一時停止スイッチ５２は、モーメンタリタイプのブレーク接点を有するプッシュスイッチで、スイッチを押している間、電源供給を停止し、小便等の短時間の警報停止を行う。
【００１４】
図２は、止め具の説明をするための構造図で、バックルケース４８内部にベルト先端部５３が挿入されると、ベルト押さえ４４が支点４５を中心に回動し、ベルト押さえ４４に設けられた突起４６の押圧により装着スイッチ７が導通状態になる。ベルト押さえ４４は、バネ５０によりバックルケース内面を押圧する構造となっていて、ベルトをバックルケース４８に挟み込む。電池８は、ベルト固定裏カバー４２を開くことにより交換できる。圧電スピーカ２７は、電池８の上部に配置され、磁束を検出する磁気抵抗素子４９は、図１のスライダ２を締めたときに、最短距離になる位置とした。図２の一時停止スイッチ５２は、外部から容易に押せる位置の上部に配置した。
【００１５】
図３の点線２１の範囲は、図１のスライダ位置検出装置６の一例を示すブロック図で、磁気検出機能を持つＩＣチップ内部のブロック図とＩＣチップに接続される電気回路となっている。図３の磁気抵抗素子Ｒ１、Ｒ３は、磁界の影響がない場合に、同等な抵抗値を示すが、磁界の影響を受けると外部磁界の大きさにより抵抗値が変化する。しかし、固定抵抗Ｒ２、Ｒ４は、外部磁界に影響されない。
Ｒ１，Ｒ２，Ｒ３，Ｒ４は、ブリッジ回路を構成し、Ｒ１とＲ２の接合部の電圧Ｖ１とＲ３とＲ４の接合部の電圧Ｖ２は、コンパレータ２２の入力へ入る。
外部磁界の影響がない場合、Ｒ１＝Ｒ３、Ｒ２＝Ｒ４となり、コンパレータ２２への入力電圧Ｖ１、Ｖ２は同レベルの値となり、コンパレータ２２は、ラッチ回路２３にＬレベルの信号を出力する。
【００１６】
外部磁界の影響を受けるとＲ１≠Ｒ３、Ｒ２＝Ｒ４となり、コンパレータ２２の入力に電圧差が発生し、コンパレータ２２は、ラッチ回路２３にＨレベルの信号を出力する。ラッチ回路２３は、磁界の影響ありのときにコンパレータ２２からＨレベルの入力信号を受けて信号を保持し、磁界の影響なしのときにＬレベルの入力信号を受けて信号を保持する。ＣＭＯＳ駆動部２４は、ラッチ回路２３からの出力がＬレベルのときに、メロディー回路２６に信号を発し、圧電スピーカ２７を通じて外部に音楽を流す。タイマ２５は、５００ｍｓ周期で５０μｓの動作信号を、ラッチ回路２３とサンプリング回路２９とスイッチ回路２８に出力し、前記動作信号発生中のみコンパレータ２２やＲ１、Ｒ２、Ｒ３、Ｒ４のブリッジ回路に電源供給を行い、消費電力を軽減している。
【００１７】
このように図１のズボンを装着した状態のときスライダ位置検出装置６は、ベルトの装着により電源が供給された状態で、スライダ２が、バックル５直下に位置すると、スライダ位置検出装置６は、スライダ２からの磁束を検出し検知し警報を停止する。スライダ２が、バックル５の直下から離れると、スライダ位置検出装置６への磁束が一定量以下になり、スライドファスナ１が開口状態と判定され警報を発する。ズボンを装着していない場合やトイレで大便をしている状態のベルト先端部５３は、バックル５から離脱して、スライダ位置検出装置６への電源供給が停止となるため、スライダ２とバックル５の距離に関係なく警報は発しない。
【００１８】
図４、図５は、スライドファスナのスライダを示した説明図で、図５の引き手６１は、引き手取付部６３に取り付けられている。引き手６１の内部にはネオジユム磁石６２およびネオジユム磁石６２のＳ極およびＮ極からは、磁力を導くための磁性体補助材６５、６７が埋め込まれて、磁界は、Ｓ極先端６６、Ｎ極先端６４より強力な磁界が発生する構造とし、ベルトに内蔵された磁気検出回路に磁界の影響を強く及ぼす。
図５のスライドファスナのスライダは、引き手取付部７２の上方にネオジユム磁石７１を取り付けてある。スライダ上方に配置することにより、ズボン装着時にスライダを締めたときに、ネオジユム磁石７１がベルト直下近傍に位置する。
【実施例２】
【００１９】
図６は、スライダ２に連結したプラグ１２を検出するスライダ位置検出手段を用いたファスナ締め忘れ警報装置の説明図である。
プラグ１２は紐１１によりスライダ２もしくは引き手３に連結され、バックル５の導入溝１６に挿入される。スイッチ１７の接点は、プラグ１２がバックル５の導入溝１６に挿入されると、プラグ１２の押圧により開放状態となる。ロックのボール１４は、バネ１５により導入溝１６中心に加圧され、プラグ１２を挿入したときに、プラグ凹部１３の勘合位置で挟持し、クリック感および挿入後のプラグ抜け防止の役割を果たす。スイッチ１７は、モーメンタリタイプのブレーク接点を有するプッシュスイッチとなっていて、プラグ１２が導入溝１６から離れるとスイッチ１７内部のバネで復帰し、スイッチ１７の接点は、通電状態となる。装着スイッチ７は、実施例１と同様にベルト先端５３がバックル５内部に挿入されると、接点が導通状態となり電池８の電源を供給する。
【００２０】
スイッチ１７は、プラグ１２の挿入により作動するほかに、補助押しボタン１８の押圧により連動動作し接点が開放される。補助押しボタン１８は、小便等の短時間の警報停止に使用する。圧電スピーカ２７は、ベルト先端５３がバックル５を貫通、且つプラグ１２が未挿入状態のときに、装着スイッチ７とスイッチ１７が導通して警報を発するが、ベルト先端５３がバックル５を未貫通状態や、プラグ１２挿入状態や、補助ボタン１８押圧状態のいずれか１つの条件が成立すると警報を発しない。
【００２１】
このように、ズボンを未着用状態では、ベルト先端部５３がバックル５を未貫通のため警報は鳴らず、ズボンを着用、且つスライドファスナが開口のときにはプラグ２が未挿入状態となるため警報を発し、小便などによりスライダ２を開口側に動作させるときには、補助ボタン１８押圧することにより警報を停止する。
【００２２】
スイッチ１７を用いてスライダ位置検出装置６を説明したが、プラグ２挿入時に、ベルトにより押圧されている装着スイッチ７を、押圧を解除する構造にしても良い。
【図面の簡単な説明】
【００２３】
【図１】スライドファスナと止め具の概念を示した説明図である。（実施例１）
【図２】締め具の内部構造例を示した説明図である。（実施例１）
【図３】スライドファスナ位置検知警報装置を示したブロック図である。（実施例１）
【図４】スライドファスナのスライダを示した説明図である。（実施例１）
【図５】スライドファスナのスライダを示した説明図である。（実施例１）
【図６】プラグを用いた開口状態検知の概念を示した説明図である。（実施例２）
【符号の説明】
【００２４】
１  スライドファスナ２  スライダ    ３  引き手５  バックル６  スライダ位置検出装置    ７  装着スイッチ    ８  電池    ９  ベルト    １２  プラグ    １８  補助ボタン    ２６  メロディー回路    ２７  圧電スピーカ    ５２  一時停止スイッチ
【図１】
2011184817.tif 000003
【図２】
2011184817.tif 000004
【図３】
2011184817.tif 000005
【図４】
2011184817.tif 000006
【図５】
2011184817.tif 000007
【図６】
2011184817.tif 000008